(57)【要約】容器の分配キャップ１１であって、第１閉鎖状態から、流体がキャップを通過できる開放状態へ、移動でき、また、開放状態と第２閉鎖状態との間でも移動できる、閉鎖部材１６と、キャップから分配されるべき材料を保持する、チャンバー２４と、を有しており、閉鎖部材が最初は第１閉鎖状態にあり、閉鎖部材が第２閉鎖状態へ移動すると、材料がチャンバーから放出されるようになっている。
2004507410.tif 000002
【特許請求の範囲】
【請求項１】
容器内へ材料を分配する分配キャップであって、
第１閉鎖状態から、流体がキャップを通過できる開放状態へ、移動でき、また、開放状態と第２閉鎖状態との間でも移動できる、閉鎖部材と、
キャップから分配されるべき材料を保持する、チャンバーと、を有しており、
使用前、閉鎖部材が第１閉鎖状態にあり、閉鎖部材が第２閉鎖状態へ移動すると、材料がチャンバーから放出されるようになっていることを特徴とする分配キャップ。
【請求項２】
閉鎖部材が、飲み口であり、開放状態にある時、流体が飲み口を通過できるようになっている、請求項１記載の分配キャップ。
【請求項３】
飲み口を通って延びたステムと、
飲み口又はステムから延びており、ステム又は飲み口の一部に対してシールできる、少なくとも１つのシール突起と、を備えている、請求項２記載の分配キャップ。
【請求項４】
ステムから延びた、第１及び第２のシール突起を、備え、
飲み口が第１閉鎖状態にある時、第１シール突起が飲み口の一部に対してシールし、飲み口が第２閉鎖状態にある時、第２シール突起が飲み口の一部に対してシールするようになっている、請求項１記載の分配キャップ。
【請求項５】
飲み口に設けられた内向きのリップを備え、
第１及び第２のシール突起がリップに対してシールできるようになっている、請求項４記載の分配キャップ。
【請求項６】
チャンバーのベース部分を構成するシール部材と、
シール部材を作動させてチャンバーから材料を放出させるために使用者が操作できる、作動手段と、を備えている、請求項１記載の分配キャップ。
【請求項７】
シール部材を材料放出状態へ移動させる、作動部材、を備えている、請求項６記載の分配キャップ。
【請求項８】
作動部材が、閉鎖部材と、作動的に関係しており又は一体物である、請求項７記載の分配キャップ。
【請求項９】
シール部材が、断面概ねＵ型のものであり、材料保持状態から逆の材料放出状態へ動くことができる、請求項６記載の分配キャップ。
【請求項１０】
キャップを容器に取り付ける取り付け手段を備えた下部部分と、
下部部分がキャップに取り付けられたままで、容器から取り外すことができる、上部部分と、
上部部分と下部部分とを連結する、ヒンジ部材と、を有しており、
ヒンジ部材が、カバーに取り付けられた第１端部と、ベースに取り付けられた第２端部と、を有しており、
カバーがカバー状態にある時、第１端部と第２端部とが角度的にずれている、請求項１記載の分配キャップ。
【請求項１１】
容器の分配キャップであって、
キャップから容器内へ分配されるべき材料を保持する、チャンバー、を有しており、
チャンバーが、断面概ねＵ型であって材料保持状態から逆の材料放出状態へ動くことができるシール部材を有していることを特徴とする分配キャップ。
【請求項１２】
シール部材が、最初は材料保持状態に向かって偏っており、逆の状態に向かって動く時、偏りが逆の状態に向かって変化するようになっている、請求項１０記載の分配キャップ。
【請求項１３】
容器の蓋アッセンブリであって、
容器の開口回りに取り付けることができる、ベースと、
カバー状態と自由状態との間で動くことができる、カバー部材と、
カバーとベースとを連結する、ヒンジ部材と、を備えており、
ヒンジ部材が、カバーに取り付けられた第１端部と、ベースに取り付けられた第２端部と、を有しており、
カバーがカバー状態にある時、第１端部と第２端部とが角度的にずれていることを特徴とする蓋アッセンブリ。
【請求項１４】
上記ずれ角度が、約９０度と３６０度との間である、請求項１３記載の蓋アッセンブリ。
【請求項１５】
ヒンジ部材が、カバー部材をカバー状態に向けて偏らせるようになっている、請求項１３記載の蓋アッセンブリ。
【発明の詳細な説明】
【０００１】
発明の技術分野
本発明は、容器に用いられる分配キャップ、特に飲料容器に用いられる分配キャップに関するものである。また、本発明は、容器の蓋アッセンブリに関するものである。
【０００２】
発明の背景
本発明は、飲料容器に用いられるキャップに関して特に述べられている。しかしながら、分配キャップを他のタイプの容器に用い得ることは明らかであるので、それのみに限定するものではない。
【０００３】
キャップが取り付けられている容器の中に、キャップに含まれている材料を分配させるための、分配キャップは、公知である。分配キャップは、使用されるまで混合物の成分を別けたままとしておくことが望まれる場合に、使用される。これは、溶液中で不安定な成分がある場合に適用できる。
【０００４】
分配キャップは、一般に、分配されるべき材料を収容するチャンバーを有している。公知のキャップでは、チャンバーは、一般に、脆弱メンブレンによって容器の本体から別けられている。キャップは、一般に、メンブレンを壊してチャンバーの内容物を放出させる手段を備えている。メンブレンは、一般に、貫通部材によって壊される。貫通部材は、部材の上端を下向きに押すことによってメンブレンに向かって進められる。
【０００５】
あるキャップでは、液体にキャップを通過させるために、使用後に貫通部材をキャップから取り外さなければならない。しかしながら、これは、しばしば使用者にとって不便であり、処分を必要とする別の廃棄物を生じさせる。
【０００６】
この問題を解消するために、使用後に貫通部材を移動させて容器の本体内に落とし込むキャップがある。しかしながら、多くの使用者は飲むべき飲料中に他の浮遊物があるのを好まない。
【０００７】
この問題の１つの解決法として、公知のシッパータイプのキャップを改良することが行われてきた。シッパーキャップは、プッシュプルタイプ機構を有しており、その機構では、飲み口は、流体を飲むことができる開放状態に引っ張られ、閉鎖状態に押される。そのようなキャップは、サイクリストや他のスポーツする人々に人気がある。何故なら、プッシュプル機構は、使用者が歯や口で飲み口を咥えることができる時、片手の操作のみを必要とするからである。改良したシッパーキャップは、脆弱メンブレンを有している。そのメンブレンは、飲み口を閉鎖状態に向かって押す時に飲み口によって破壊できる。しかしながら、これは、最初の使用前に、キャップが開放状態にあることを必要とする。これは、キャップ中の材料が汚染されたり、ボトルから流体が漏れたりするので、望ましくない。
【０００８】
従って、本発明の目的は、上述した問題点を少なくとも部分的に解消でき、又は、公衆に有用な選択を提供することができる、分配キャップを提供することである。
【０００９】
発明の詳細
本発明の第１の形態は、容器の分配キャップであって、第１閉鎖状態から、流体がキャップを通過できる開放状態へ移動でき、また、開放状態と第２閉鎖状態との間でも移動できる、閉鎖部材と、キャップから分配されるべき材料を保持するチャンバーと、を有しており、使用前、閉鎖部材は第１閉鎖状態にあり、閉鎖部材が第２閉鎖状態へ移動すると、材料がチャンバーから放出されるようになっている。
【００１０】
本発明のキャップは、一般に、飲料容器に用いられる。容器は、一般に、ボトルであり、ＰＥＴ、ガラス、ポリオレフィンのような適切な材料でできている。キャップは、スナップ嵌合、摩擦嵌合、ねじ機構のような適切な手段によって、容器に取り付けることができる。
【００１１】
キャップは、一般に、飲み物をキャップを通して飲むことができるタイプのシッパーキャップである。この場合には、閉鎖部材は、液体が通過する１つ以上の流通隙間を有する飲み口の形態をしている。飲み口は、一般に、カラー内に摺動可能に取り付けられている。カラーは、一般に、キャップをボトルのネックに取り付ける手段を有している。飲み口は、第１閉鎖状態から開放状態へ、及び、開放状態と第２閉鎖状態との間を、動くことができる。一般に、飲み口が閉鎖状態にある時は、流通隙間は突起のようなものによって、ブロックされる。
【００１２】
本発明の好ましい形態では、キャップは、飲み口の中心を通って延びたステムを備えている。飲み口は、飲み口に関して移動できる。飲み口及び／又はステムは、１つ以上のシール突起を備えており、シール突起は、使用者が飲み口を移動させる時、シール係合の内外へ動くことができる。本発明の１つの形態では、飲み口は一対の同心シールリップを備えている。飲み口は、ステムが第１リップに対してシールする第１閉鎖状態から、飲み口とステムとの間にシール係合がない開放状態へ、及び、ステムがもう一方のリップに対して接触してシールする第２閉鎖状態へ、と移動できる。
【００１３】
キャップは、容器内へ分配されるべき材料を保持するチャンバーを有している。材料は、液体、粉末、顆粒、錠剤などである。容器が飲料を保持する場合、材料は、ビタミン、ミネラル、その他の栄養補助剤、植物エキス、薬物、着色料、香料、安定剤、その他の公知の添加物を含むことができる。
【００１４】
閉鎖部材が第２閉鎖状態へ移動すると、材料がチャンバーから放出される。一般に、チャンバーは、シール部材を有している。概して、このシール部材は、容器内の液体がチャンバー内の材料に接触するのを防止できるシールを形成する。閉鎖部材が第２閉鎖状態へ移動すると、シール部材によって形成されたシールは、材料を放出するために破壊される。シールは、破ったり、変形したり、シール部材をシール状態から材料放出状態へ動かしたりすることによって、破壊できる。一般に、シールは、シール破壊部材によって破壊される。シール破壊部材は、閉鎖部材と一体であったり作動的に関連していたりするものである。好ましくは、シールが破壊された後は、チャンバーを再びシールすることは不可能である。
【００１５】
好ましい実施形態では、シール部材は、カップ形状を有しており、材料を放出するための逆状態に動くことができる。
【００１６】
本発明の別の形態は、容器の分配キャップであって、キャップから容器内へ分配されるべき材料を保持するチャンバーを有しており、チャンバーはシール部材を有しており、シール部材は、断面概ねＵ型であって材料保持状態から逆の材料放出状態へ動くことができるようになっている。
【００１７】
シール部材は、一般に、初めの偏り（ｂｉａｓ）を材料保持状態に与える弾性材料でできている。しかしながら、逆になる間、シール部材は、概ね平らな状態に変形され、偏りが逆状態に向かって変化する。この方法では、材料を、速やかに且つ効果的に放出できる。一般に、シール部材は、環状部材によって変形され、環状部材は、使用者がシール部材の上部エッジを押すことによって作動できる。
【００１８】
第２の形態のキャップは、プッシュプルタイプのものであり、それにおいては、上述したように、液体が飲み口を通過する。しかしながら、これは実例を必要としないであろう。第２の形態のキャップは、従来の方法で容器のネックに取り付けられたタイプのものであり、容器の内容物をそこから分配させるために容器から取り外す必要がある。
【００１９】
プッシュプルタイプのキャップは、一般に、タンパーエビデントシールに関係する保護カバー又は保護蓋を備えている。保護カバーは、飲み口の汚染を最小にし、また、売られる前にキャップが不注意に又は故意に作動するのを防止できる。多くの使用者は、容器の液体内容物をすぐに飲まない場合には、保護カバー又は保護蓋を取替えることを好む。これは、特に、飲料容器を自転車のフレームに取り付けるサイクリストにとって言えることである。この取り付け状態は、ごみ、道路の汚れ、及び、その他の汚染物を、飲み口の頂部に集めてしまう。
【００２０】
現在使用されている保護カバーの一形態は、キャップのハウジングにスナップ嵌合する簡単な蓋である。そのような仕組みには多くの不便がある。まず、蓋を外す時、両手の操作を必要とする。また、外した蓋を無くしやすい。サイクリストのような多くのスポーツする人々にとって、両手で外すのは非実用的である。更に、蓋を無くすことは別の廃棄物を生じさせる。この問題を解消するために、蓋をボトルネックやプッシュプルキャップに連結させることが提案されている。あるキャップは、カバーをキャップに連結するプラスチックタブを備えている。しかしながら、タブは、繰返しの使用で破損しやすい。早期の破損はタブをフレキシブルプラスチックストラップと取替えることにより回避できる。しかしながら、実際、ストラップは、容器の本体から突出しており、異物を捕らえるかもしれない。より進歩したヒンジ設計が提案されている。しかしながら、そのような設計は、容器の全コストを非常に増してしまう。カバーや蓋のそのような問題は、プッシュプルタイプのキャップに限るものではなく、従来タイプの容器閉じ具でも経験される。
【００２１】
それ故、本発明の他の目的は、上述した問題点を少なくとも部分的に解消でき、又は、公衆に有用な選択を与えることができる、蓋アッセンブリを提供することである。
【００２２】
本発明の別の形態は、容器の蓋アッセンブリであって、容器の開口回りに取り付けることができるベースと、カバー状態と自由状態との間で移動できるカバー部材と、カバーとベースをヒンジ連結し、また、カバーに取り付けられた第１端部とベースに取り付けられた第２端部とを有する、ヒンジ部材と、を備え、カバーがカバー状態にある時、第１端部と第２端部とが角度的にずれているものである。
【００２３】
本発明の他の形態の蓋アッセンブリは、容器やキャップアッセンブリのどんな適切なタイプにも使用でき、本発明の他の形態のキャップや従来のプッシュプルタイプのキャップへの使用に限定するものではない。一般に、第１端部と第２端部とは、９０度と３６０度との間で、更には１００度と２２０度との間で、角度的にずれている。角度的にずれていることによって、ヒンジ部材は、螺旋形状でカバー部材の回りに少なくとも部分的に延びることができる。
【００２４】
好ましくは、ヒンジ部材は、カバー及びベースに対して概ね同一平面にあり、カバーがカバー状態にある時、突出しない。ヒンジ部材は、一般に、弾性プラスチック材料からなるストリップであり、スプリングからなるコイルと同様に機能して、カバーを閉鎖状態に向けて偏らせることができる。これは、使用者がカバーをカバー状態に戻し損ねた場合に便利であり、カバーは、カバー状態に少なくとも部分的に戻ることができ、それによって、カバーの下側や容器内容物が、汚れ、ホコリ、空気中の微生物、及び、他のくず、によって汚染されるのを回避し又は最小にする。
【００２５】
カバー及びベースは、一般に、スナップ嵌合又は摩擦嵌合のような公知の手段によって係合できる。
【００２６】
発明を実施する最良の形態
図１は飲料容器１２に取り付けられた分配キャップ１１を示している。キャップ１１はハウジング１３を有している。ハウジング１３は容器１２のネックに取り付けるための内部ねじを有している。キャップ１１はトップカバー１４を有している。トップカバー１４は、ハウジング１３へスナップ嵌合連結されている。フィンガータブ８は、開放中に使用者がカバー１４をつかむのを容易にしている。カバー１４は、フレキシブルコネクタ１５によってハウジング１３に連結されている。キャップ１１は、タンパーエビデントシールを備えることができる（これは本発明の部分を構成しないが）。
【００２７】
キャップ１１は、筒状の飲み口１６を有している。飲み口１６は、ハウジング１３内にぴったりと嵌り、その中を縦方向に摺動可能である。ステム１７が、飲み口１６内に配置されている。飲み口１６は、内側に向いた、上部同心リップ１８及び下部同心リップ１９を有している。ステム１７は、外側に向いた、上部同心リップ２１及び下部同心リップ２２を有している。
【００２８】
図２はカバー１４がハウジング１３から取り去られた後の第１閉鎖状態におけるキャップ１１を示している。飲み口１６の下部リップ１９とステム１７の上部リップ２１とが接触してシールを構成していることがわかる。リップ２２は、リップ１９を越えて突出している。シール部材２３が、ステム１７の下端部に取り付けられている。シール部材２３は、ディスクの形をしており、ハウジング１３の内壁９に対してシールしている。チャンバー２４がシール部材２３とハウジングの内壁９とによって構成されており、粉末２５を含んでいる。
【００２９】
図３は第２閉鎖状態におけるキャップ１１を示している。飲み口１６は、上部リップ１８が上部リップ２１に接触するまで、使用者によって下向きに押される。飲み口１７の下部部分２６は、下向きに且つハウジング１３の内壁９から離れるように、シール部材２３の外部エッジを押す。これは、シールを壊して、粉末２５が矢印Ａ方向にボトルの本体内に放出されるようにする。シール部材２３は、プラスチック材料でできている。シール部材は、開放状態にある時は、その状態に偏っていて、シール状態へは戻ることができないようになっている。
【００３０】
粉末が放出されている間、ステム１７の上部部分と飲み口１６の上部部分との間の接触が、液体が飲み口を通過するのを防止するために、シールを構成している。これは、粉末がボトル内へ放出されながら分散し及び／又は溶解するために、ボトルを振ることを可能とする。液体が分散された後、飲み口は図４に示す状態に引き上げられる。外部リップ２７は、使用者が飲み口１６を握るのを容易にする。この状態では、流体は矢印Ｂに示すようにキャップを通過できる。
【００３１】
キャップ１１は、ハウジング１３の上部部分と下部部分とを分ける脆弱シール３０を有している。このシールが壊れると、ハウジング１３の上部部分は、飲み口１６及びステム１７と共に、ボトルネックから取り去ることができる。しかしながら、上部部分は、連結部材３１によって下部部分に連結されたままである。これによれば、飲み口を作動させて粉末を放出させることなく、使用者はボトルの内容物にアクセスできる。これは、使用者がその時に混合飲料を飲みたくない場合に望ましい。ハウジングの上部部分は、旋回して元の位置に戻ることができ、粉末は後の段階で放出される。この方法においては、使用者は、望むならば、粉末を加える前にボトルから流体を放出させることによって、より高濃度の混合物を得ることができる。
【００３２】
キャップ１１は、壊れていないシール部材２３を備えたハウジング１３を初めに提供することによって、容易に組み立てることができる。それから、粉末を所望量加える。そして、飲み口１６をハウジング内へスライドして入れる。飲み口が早まって作動して粉末が放出されることが、飲み口１６の下部リップ１９がステム１７の上部リップ２１に接触することによって、防止される（必要な時、使用者が上部リップ２１を通り過ぎて下部リップ１９を押すことができるように、飲み口は弾性プラスチック材料でできている）。また、突起（図示せず）が、飲み口の下端部直下のハウジングの内壁に設けられている。これらの突起は、弾性的であり、飲み口を作動させる時に使用者が飲み口を下向きに押すことができるようにしている。
【００３３】
図５から図１４は本発明の更に好ましい分配キャップを示している。同じ符号が同じ又は相当する部分を示すのに用いられている。キャップ１１は、ハウジング１３、飲み口１６、及び、ステム１７を有している。ステム１６は、上部シールディスク３５を有している。ディスク３５は、図６に示される飲み口１６の下部リップ１９、又は、図８に示される飲み口の上部リップ１８、のいずれかに対してシールする。
【００３４】
シール部材２３は、弾性プラスチック材料でできており、カップ形状を有している。図６に示される前放出状態では、カップ型シール部材２３は、分配されるべき材料を保持している。飲み口１６が使用者によって下方に押されると、飲み口の下部部分はシール部材の外部部分を押す。シール部材は、初めは図６に示される状態に偏っている。シール部材が概ね平らな状態に近付くと、偏りは逆状態に向かって変化する。従って、シール部材２３の外部エッジを図８及び図１０に示されるような放出状態になるまでずっと押すことは必要ない。
【００３５】
ステム１７は、直径方向に相対した一対のアーム部材３６，３７を有している。これらの部材３６，３７は、飲み口１６の対向した隙間３８を通って延びている。隙間３８は、図１１で明確に示されている。アーム部材３６，３７の端部は、ハウジング１３（図１４参照）の縦スロット３９で受けられている。この仕組みは、ハウジング１３に対してステム１７を正しい位置に保持する。飲み口１６を上げ下げする時、飲み口１６は、アーム部材３６，３７に跨って隙間３８によって案内される。
【００３６】
飲み口１６を第２閉鎖状態を通り越して下方に押すことが、隙間３８の上部部分がアーム部材３６，３７と接触することによって、防止される。
【００３７】
飲み口１６の下端部は上向きリップ４０を有している。飲み口１６は、弾性プラスチック材料でできている。それ故、リップ４０がハウジング１３の内壁９内に位置している図６の状態に、組み立てる間、飲み口１６は、飲み口の壁が内側に弾性的に押されるのを可能とする。飲み口１６が図８に示される状態まで下方に押されると、飲み口１６の弾性によって、ハウジング壁９の下部エッジの下にリップ４０が伸びるようリップ４０が外向きにはじける。図１０からわかるように、図１０の開放状態を通り過ぎて図６の第１閉鎖状態に戻るまで飲み口１６を引き上げることが、リップ４０がハウジング１３に接触することによって防止される。
【００３８】
実際、これは便利である。何故なら、使用者が開放状態に向けて飲み口１６を引っ張る際に、飲み口を開放状態を通り過ぎて第１閉鎖状態まで不注意に動かしてしまうのを防止するからである。
【００３９】
飲み口１６は、多数の突出リブ４１を備えている。リブ４１は、ハウジングの内壁と飲み口１６との間の摩擦係合を容易にする。これは、図１１に示されている。
【００４０】
図１５から図１７は、本発明の更に好ましい分配キャップ１１の略断面図である。前述した図面のそれと類似したこのキャップ１１及び同じ符号が、同じ又は類似の特徴を示すのに用いられている。
【００４１】
キャップ１１は、ハウジング１３、飲み口１６、ステム１７、及び、カップ型シール２３を有している。しかしながら、本発明のこの形態においては、飲み口１６は１つの上部シールリップ５０を有しており、ステム１７は上部同心シール部材５１と下部同心シール部材５２とを有している。この部分の機能を以下に説明する。
【００４２】
図１５から図１７に示されるキャップ１１は、上述したのと同様に作動する。図１５は使用前の第１閉鎖状態におけるキャップ１１を示している。使用者は、カバー１４を取り外して飲み口１６にアクセスする。飲み口１６は、図１６に示される第２閉鎖状態まで下方に押される。第２閉鎖状態では、ステム１７の下部シール部材４２が飲み口１６のリップ５０に対してシールしている。飲み口１６が下方に押されると、飲み口１６の下部壁４３はシール部材２３を押して逆にし、それによってキャップの内容物がボトル内へ放出される。
【００４３】
図１７は流体が飲み口１６を通って流れることができる開放状態におけるキャップ１１を示している。
【００４４】
図１８及び図１９は、それぞれ、図１７のキャップの斜視図及び平面図である。ハウジング１３は、脆弱部分４６によって、上部部分６４と下部部分６５とに別けられている。脆弱部分４６は、飲み口１６及びステム１７を備えた上部部分６４がボトルから取り外されるように、壊れることができる。上部部分６４と下部部分６５は、ヒンジ部材６６によって連結されている。ヒンジ部材６６は、上部部分６４に取り付けられた第１端部６７と下部部分６５に取り付けられた第２端部６８とを有している。第１端部６７と第２端部６８は、角度的に１８０度ずれている。ヒンジ部材６６は、ハウジング１３の回りにぴったりと存在しており、図１の連結部材３１のように突き出てはいない。上部部分６４が下部部分６５から別れる時、ヒンジ部材６６は螺旋状スプリングのコイルのように作動して上部部分６４を閉鎖状態に偏らせる。
【００４５】
図２０は本発明の更なる形態における蓋アッセンブリ７０を示している。アッセンブリは、カバー７１とロッキングバンド７２を有している。脆弱タブ７３がカバー７１とロッキングバンド７２とを連結している。これらのタブは、まず第１にカバーを開けるために壊されなければならず、従って、タンパーエビデントシールのように機能する。ロッキングバンド７２は、一般には、容器のネックの溝内に位置している。ヒンジ部材７４は、カバー７１に付着した第１端部７５とバンド７２に付着した第２端部７６とを有している。タブ７７，７８は、蓋アッセンブリを開く時に使用者の指にグリップを提供するために設けられている。
【００４６】
使用する際、カバー７１はロッキングバンド７２から取り去られる。２つの部分はヒンジ部材７４によって連結されたままである。ヒンジ部材７４は、弾性プラスチック材料でできており、その弾性がカバー状態に向けてカバー内に偏りを与える。
【００４７】
本発明の分配キャップが比較的容易でわかりやすい方法によって、消費前の飲料中に材料を分配させることができることが、わかるであろう。キャップは、材料を放出している間、シールされたままであり、振ることによってボトルの内容物を混合するのを可能としている。キャップは、最初の使用前はシールされている。更に、キャップは、自己充足的であり、使用後にボトルの本体内へ落ち込んだり別の処理を必要としたりするような別のシール破壊部材を必要としない。
【００４８】
本発明の蓋アッセンブリは、ボトルのネックの回りにカバー部材をヒンジ連結するための比較的簡単でコスト性の良い仕組みを提供する。
【００４９】
本発明の精神及び範囲から逸脱しないで、ここで述べた本発明に対して種々の変更や変形をなすことができることは、予期されることである。
【図面の簡単な説明】
【図１】飲料容器に取り付けられた本発明の好ましい分配キャップの略断面図である。
【図２】第１閉鎖状態にある図１のキャップを示す図である。
【図３】第２閉鎖状態にある図１のキャップを示す図である。
【図４】開放状態にある図１のキャップを示す図である。
【図５】第１閉鎖状態にある本発明の更に好ましい分配キャップの斜視図である。
【図６】図５のキャップの断面図である。
【図７】第２閉鎖状態にある図５のキャップの斜視図である。
【図８】図７のキャップの断面図である。
【図９】開放状態にある図５のキャップの斜視図である。
【図１０】図９のキャップの断面図である。
【図１１】図５のキャップの飲み口の斜視図である。
【図１２】前放出状態にある図５のキャップのステム及びシール部材の斜視図である。
【図１３】放出状態にある図１２のステム及びシール部材の斜視図である。
【図１４】図５のキャップのハウジングの斜視図である。
【図１５】第１閉鎖状態にある本発明の更に好ましい分配キャップの断面略図である。
【図１６】第２閉鎖状態にある図１５のキャップの断面略図である。
【図１７】開放状態にある図１５のキャップの断面略図である。
【図１８】本発明の更に好ましい実施形態のキャップの斜視図である。
【図１９】図１８のキャップの平面図である。
【図２０】本発明の別の実施形態の好ましい蓋アッセンブリの正面図である。
【国際公開パンフレット】
2004507410.tif 000003
2004507410.tif 000004
2004507410.tif 000005
2004507410.tif 000006
2004507410.tif 000007
2004507410.tif 000008
2004507410.tif 000009
2004507410.tif 000010
2004507410.tif 000011
2004507410.tif 000012
2004507410.tif 000013
2004507410.tif 000014
2004507410.tif 000015
2004507410.tif 000016
2004507410.tif 000017
2004507410.tif 000018
2004507410.tif 000019
2004507410.tif 000020
2004507410.tif 000021
2004507410.tif 000022
2004507410.tif 000023
2004507410.tif 000024
【国際公開パンフレット（コレクトバージョン）】
2004507410.tif 000025
2004507410.tif 000026
【国際調査報告】
2004507410.tif 000027
2004507410.tif 000028
2004507410.tif 000029
2004507410.tif 000030
2004507410.tif 000031